(57)【要約】【課題】回路規模を少なくしてコスト削減を図るとともに高画質化を実現する。【解決手段】ＰＡＬ信号処理時における色平均処理、及びＳＥＣＡＭ信号処理時における同時化処理で使用するラインメモリ１３１を共有することによりコスト削減を図る。さらに、相関信号とＳＥＣＡＭ復調信号とを間引いて多重化することで、ＳＥＣＡＭ復調信号の同時化処理を相関関係を用いて適応処理することができ、高画質化が可能となる。【選択図】図２
2007181054.tif 000002
【特許請求の範囲】
【請求項１】
複数放送方式の映像信号を処理する色信号処理回路であって、
ＰＡＬ方式のクロマ信号を復調処理してＰＡＬクロマ復調信号を出力するＰＡＬ復調手段と、
ＳＥＣＡＭ方式のクロマ信号を復調処理してＳＥＣＡＭクロマ復調信号を出力するＳＥＣＡＭ復調手段と、
前記ＰＡＬクロマ復調信号と前記ＳＥＣＡＭクロマ復調信号とを入力とし、一方の復調信号を選択して第１の復調信号として出力する復調信号選択手段と、
前記第１の復調信号を遅延させた第２の復調信号を生成して出力する遅延手段と、
前記ＰＡＬ方式のクロマ信号処理時に、前記第１及び第２の復調信号に基づいて復調信号の平均化処理を行う色平均処理手段と、
前記ＳＥＣＡＭ方式のクロマ信号処理時に、前記第１及び第２の復調信号に基づいて復調信号の同時化処理を行う同時化処理手段とを備えたことを特徴とする色信号処理回路。
【請求項２】
請求項１に記載された色信号処理回路において、
前記ＳＥＣＡＭクロマ復調信号と、所定画素の垂直方向における相関関係を示す相関信号とを入力とし、該ＳＥＣＡＭクロマ復調信号と該相関信号とをそれぞれ間引いた後に多重化したクロマ相関多重信号を生成して出力する間引き手段をさらに備え、
前記復調信号選択手段は、前記ＳＥＣＡＭクロマ復調信号の代わりに前記クロマ相関多重信号を入力とし、前記ＰＡＬクロマ復調信号又は該クロマ相関多重信号のうち一方を選択して前記第１の復調信号として出力するように構成されていることを特徴とする色信号処理回路。
【請求項３】
請求項２に記載された色信号処理回路において、
前記クロマ相関多重信号から前記相関信号を抽出する相関信号抽出手段をさらに備え、
前記同時化処理手段は、前記相関信号抽出手段で抽出した相関信号に基づいて、前記ＳＥＣＡＭクロマ復調信号を適応処理するように構成されていることを特徴とする色信号処理回路。
【請求項４】
請求項１に記載された色信号処理回路において、
前記ＳＥＣＡＭクロマ復調信号と輝度信号とを入力とし、該ＳＥＣＡＭクロマ復調信号と該輝度信号とをそれぞれ間引いた後に多重化したクロマ輝度多重信号を生成して出力する間引き手段をさらに備え、
前記復調信号選択手段は、前記ＳＥＣＡＭクロマ復調信号の代わりに前記クロマ輝度信号多重信号を入力とし、前記ＰＡＬクロマ復調信号又は該クロマ輝度多重信号のうち一方を選択して前記第１の復調信号として出力するように構成されていることを特徴とする色信号処理回路。
【請求項５】
請求項４に記載された色信号処理回路において、
前記クロマ輝度多重信号から輝度信号を抽出する輝度信号抽出手段と、
前記抽出した輝度信号の相関関係を検出する相関検出手段とをさらに備え、
前記同時化処理手段は、前記相関検出手段の検出結果に基づいて、前記ＳＥＣＡＭクロマ復調信号を適応処理するように構成されていることを特徴とする色信号処理回路。
【発明の詳細な説明】
【技術分野】
【０００１】
本発明は、ＰＡＬ放送方式の映像信号とＳＥＣＡＭ放送方式の映像信号の２種類の放送方式を処理する装置において、映像信号の重畳されているクロマ信号を復調する色信号処理回路に関するものである。
【背景技術】
【０００２】
欧州では、イギリス等で採用されているＰＡＬ放送方式とフランス等で採用されているＳＥＣＡＭ放送方式との２種類のテレビジョン方式が混在しており、１つの地域で２つの放送方式が受信できる地域もあるために、テレビやビデオ等のカラーテレビジョン放送を扱う機器にはＰＡＬ方式とＳＥＣＡＭ方式の両方の放送方式に対応したものがある。
【０００３】
以下、色平均処理部と同時化処理部にそれぞれラインメモリを１個使用したときの従来の色信号処理回路の一例について図面を参照しながら説明する。図４は従来の色信号処理回路の構成を示すブロック図である。
【０００４】
図４において、Ｓ１はクロマ信号を入力する入力端子、Ｓ２は放送方式を選択するためのＰＡＬ／ＳＥＣＡＭセレクタ信号を入力する入力端子、Ｓ３は同時化処理の選択回路を制御するラインＩＤ信号、Ｓ４はＲ−Ｙ信号／Ｂ−Ｙ信号が多重された信号を出力する出力端子である。
【０００５】
また、１０１は入力クロマ信号（Ｃ信号）がＰＡＬ方式の場合にＲ−Ｙ信号とＢ−Ｙ信号に復調するＰＡＬ用クロマ復調回路、１０２は入力クロマ信号がＳＥＣＡＭ方式の場合にＲ−Ｙ信号とＢ−Ｙ信号に復調するＳＥＣＡＭ用クロマ復調回路、１０３，１０４は画素を間引いた後に多重する間引きＭＰＸ回路、１０６，１０７は入力信号を１ライン遅延させるラインメモリ、１０８は垂直方向に画素の平均値を算出する演算回路、１０９は線順次信号を同時化させるための同時化処理セレクタ、１０５はＰＡＬ方式の色差信号とＳＥＣＡＭ方式の色差信号とを選択的に出力するセレクタである。また、２００は色平均処理部、３００は同時化処理部である。
【０００６】
以下、図４を参照しながら、従来の色信号処理回路について説明する。図４において、ＰＡＬ方式のクロマ信号が入力端子Ｓ１に入力された場合には、ＰＡＬ用クロマ復調回路１０１により色差信号（Ｒ−Ｙ信号とＢ−Ｙ信号）に復調される。
【０００７】
復調された色差信号は、間引きＭＰＸ回路１０３で色差信号の画素がそれぞれ半分に間引かれ、それらの信号が多重されて色平均処理部２００に出力される。これは、例えばデジタル符号化規格のように、色信号は人の目の感度が小さいのでデータ量を削減する際に良く使われるものである。
【０００８】
前記色平均処理部２００では、間引きＭＰＸ回路１０３の出力信号とラインメモリ１０６から出力される１ライン遅延信号とを用いて垂直方向の平均処理が行われ、平均処理された色差信号がセレクタ１０５に出力される。
【０００９】
ここで、ＰＡＬ方式のクロマ信号は、サブキャリア信号がライン毎に１８０°位相反転した信号で変調されているために、ＰＡＬ方式のクロマ信号を色差信号に復調する際には入力端子Ｓ１までの伝送系による歪みや復調精度等により復調角がずれてしまい、その結果、色差信号に誤差成分が入り込む場合がある。このとき、ＰＡＬ用クロマ復調回路１０１が出力する色差信号は色相むらや横引きノイズが発生して画質を著しく損なってしまう。そこで、色平均処理部で色平均処理をすることで色むら等が軽減されるようになる。
【００１０】
一方、ＳＥＣＡＭ方式のクロマ信号が入力端子Ｓ１に入力された場合には、ＳＥＣＡＭ用クロマ復調回路１０２により色差信号に復調される。ＳＥＣＡＭ方式ではＲ−Ｙ信号とＢ−Ｙ信号が線順次で伝送されてくるため、ＳＥＣＡＭ用クロマ復調回路１０２では復調すると同時にＲ−Ｙ信号又はＢ−Ｙ信号を認識するラインＩＤ信号Ｓ３を出力している。そして、ＳＥＣＡＭ用クロマ復調回路１０２で復調された色差信号とラインＩＤ信号Ｓ３とが、同時化処理部３００に出力される。
【００１１】
前記同時化処理部３００では、ラインＩＤ信号Ｓ３を用いて、ＳＥＣＡＭ用クロマ復調回路１０２からの出力信号とラインメモリ１０７から出力される１ライン遅延信号とによりＲ−Ｙ信号とＢ−Ｙ信号の同時化を行う。同時化されたＲ−Ｙ信号とＢ−Ｙ信号とは間引きＭＰＸ回路１０４に出力される。
【００１２】
前記間引きＭＰＸ回路１０４では、前記間引きＭＰＸ回路１０３と同様に色差信号の画素がそれぞれ半分に間引かれ、それらの信号が多重されてセレクタ１０５に出力される。
【００１３】
前記セレクタ１０５では、入力端子Ｓ２に入力されたＰＡＬ／ＳＥＣＡＭセレクタ信号に基づいて、ＰＡＬ方式の色差信号又はＳＥＣＡＭ方式の色差信号の何れかが選択され出力端子Ｓ４に出力される。
【００１４】
図５は、従来の色信号処理回路の別の構成を示すブロック図であり、図４に示す色信号処理回路との違いは、色平均処理部と同時化処理部とにそれぞれラインメモリを２個使用した点であるため、図４に示す色信号処理回路と同じ部分については同じ符号を付し、相違点についてのみ説明する。
【００１５】
図５において、１１０，１１１はラインメモリであり、１１２は垂直方向に画素の平均値を算出する演算回路、１１３は３入力の画素の平均値を算出する演算回路である。また、２０１は３入力色平均処理部、３０１は３入力同時化処理部である。
【００１６】
ここで、ＰＡＬ方式のクロマ信号が入力端子Ｓ１に入力された場合には、ＰＡＬ用クロマ復調回路１０１で色差信号に復調され、間引きＭＰＸ回路１０３で色差信号の画素がそれぞれ半分に間引かれた後、それらの信号が多重されて３入力色平均処理部２０１に出力される。
【００１７】
前記３入力色平均処理部２０１では、間引きＭＰＸ回路１０３の出力信号とラインメモリ１０６，１１０から出力される１ライン遅延信号とを用いて垂直方向の平均処理が行われ、平均処理された色差信号がセレクタ１０５に出力される。
【００１８】
ここで、図４のラインメモリを１個使用したときの色平均処理部２００では、垂直方向の中心が間引きＭＰＸ回路１０３の出力信号とラインメモリ１０６との中間になるため、垂直方向の中心が０．５画素ずれた位置になるが、３入力色平均処理部２０１であれば、垂直方向の中心がラインメモリ１０６の出力信号Ｓ４１になる。
【００１９】
このとき、輝度信号（図示せず）もラインメモリ１１０を用いて１ライン遅らせると輝度信号と色信号の垂直方向のずれが無くなり、図４の色平均処理部２００に比べて画質が向上する。
【００２０】
また、出力信号Ｓ４０，Ｓ４１，Ｓ４２を用いて垂直方向の相関検出による平均化処理のＯＮ／ＯＦＦ制御や演算回路１１３において重み付け演算を行うことにより、さらに高画質化を図ることができる。
【００２１】
一方、ＳＥＣＡＭ方式の信号が入力された場合には、ＳＥＣＡＭ用クロマ復調回路１０２により色差信号に復調され、該色差信号とラインＩＤ信号Ｓ３とが、３入力同時化処理部３０１に出力される。
【００２２】
前記３入力同時化処理部３０１では、ラインＩＤ信号Ｓ３を用いて、ＳＥＣＡＭ用クロマ復調回路１０２からの出力信号とラインメモリ１０７，１１１から出力される１ライン遅延信号とによりＲ−Ｙ信号とＢ−Ｙ信号の同時化を行う。同時化されたＲ−Ｙ信号とＢ−Ｙ信号とは間引きＭＰＸ回路１０４に出力される。
【００２３】
ここで、図４のラインメモリを１個使用したときの同時化処理部３００では、常に色差信号の１つが１ライン前の信号を使用するために出力されるＲ−Ｙ信号とＢ−Ｙ信号の垂直方向中心が１画素ずれているが、３入力同時化処理部３０１では、例えば、ラインメモリ１０７の出力信号Ｓ４４がＲ−Ｙ信号のときは、ＳＥＣＡＭ用クロマ復調回路１０２の出力信号Ｓ４３とラインメモリ１１１の出力信号Ｓ４５はＢ−Ｙ信号であり、出力信号Ｓ４３，Ｓ４５の平均値演算を演算回路１１２で行うようにしている。
【００２４】
これにより、３入力同時化処理部３０１では、出力されるＲ−Ｙ信号とＢ−Ｙ信号の垂直方向中心が同じになり高画質化を実現することができる。
【特許文献１】特開平４−１０４５９８号公報
【発明の開示】
【発明が解決しようとする課題】
【００２５】
しかしながら、図４に示す色信号処理回路では、ＰＡＬ処理で使用する色平均処理部とＳＥＣＡＭ処理で使用する同時化処理部とにそれぞれラインメモリを設ける必要がありコストが高くなるという問題があった。
【００２６】
また、図５に示す色信号処理回路では、３入力同時化処理部３０１の出力信号Ｓ４３，Ｓ４４，Ｓ４５のうち出力信号Ｓ４４がＲ−Ｙ信号とすると、その他の出力信号Ｓ４３，Ｓ４５はＢ−Ｙ信号と異なるため、３入力を用いた垂直方向の相関検出ができない。そのため、演算回路１１２は演算のＯＮ／ＯＦＦ制御等の適応処理ができず垂直解像度を向上させることができないという問題があった。
【００２７】
本発明は、かかる点に鑑みてなされたものであり、その目的とするところは、回路規模を少なくしてコスト削減を図るとともに高画質化を実現することにある。
【課題を解決するための手段】
【００２８】
前記目的を達成するため、本発明では、色平均処理部と同時化処理部は排他利用であることから、ラインメモリを共用することにより色信号処理回路のコスト削減を図り、また、同時化処理回路において垂直相関情報を用いた適応処理を行うことにより高画質化を実現するようにした。
【００２９】
すなわち、本発明は、複数放送方式の映像信号を処理する色信号処理回路であって、
ＰＡＬ方式のクロマ信号を復調処理してＰＡＬクロマ復調信号を出力するＰＡＬ復調手段と、
ＳＥＣＡＭ方式のクロマ信号を復調処理してＳＥＣＡＭクロマ復調信号を出力するＳＥＣＡＭ復調手段と、
前記ＰＡＬクロマ復調信号と前記ＳＥＣＡＭクロマ復調信号とを入力とし、一方の復調信号を選択して第１の復調信号として出力する復調信号選択手段と、
前記第１の復調信号を遅延させた第２の復調信号を生成して出力する遅延手段と、
前記ＰＡＬ方式のクロマ信号処理時に、前記第１及び第２の復調信号に基づいて復調信号の平均化処理を行う色平均処理手段と、
前記ＳＥＣＡＭ方式のクロマ信号処理時に、前記第１及び第２の復調信号に基づいて復調信号の同時化処理を行う同時化処理手段とを備えたことを特徴とするものである。
【００３０】
また、本発明は、前記ＳＥＣＡＭクロマ復調信号と、所定画素の垂直方向における相関関係を示す相関信号とを入力とし、該ＳＥＣＡＭクロマ復調信号と該相関信号とをそれぞれ間引いた後に多重化したクロマ相関多重信号を生成して出力する間引き手段をさらに備え、
前記復調信号選択手段は、前記ＳＥＣＡＭクロマ復調信号の代わりに前記クロマ相関多重信号を入力とし、前記ＰＡＬクロマ復調信号又は該クロマ相関多重信号のうち一方を選択して前記第１の復調信号として出力するように構成されていることを特徴とするものであってもよい。
【００３１】
また、本発明は、前記クロマ相関多重信号から前記相関信号を抽出する相関信号抽出手段をさらに備え、
前記同時化処理手段は、前記相関信号抽出手段で抽出した相関信号に基づいて、前記ＳＥＣＡＭクロマ復調信号を適応処理するように構成されていることを特徴とするものであってもよい。
【００３２】
また、本発明は、前記ＳＥＣＡＭクロマ復調信号と輝度信号とを入力とし、該ＳＥＣＡＭクロマ復調信号と該輝度信号とをそれぞれ間引いた後に多重化したクロマ輝度多重信号を生成して出力する間引き手段をさらに備え、
前記復調信号選択手段は、前記ＳＥＣＡＭクロマ復調信号の代わりに前記クロマ輝度信号多重信号を入力とし、前記ＰＡＬクロマ復調信号又は該クロマ輝度多重信号のうち一方を選択して前記第１の復調信号として出力するように構成されていることを特徴とするものであってもよい。
【００３３】
また、本発明は、前記クロマ輝度多重信号から輝度信号を抽出する輝度信号抽出手段と、
前記抽出した輝度信号の相関関係を検出する相関検出手段とをさらに備え、
前記同時化処理手段は、前記相関検出手段の検出結果に基づいて、前記ＳＥＣＡＭクロマ復調信号を適応処理するように構成されていることを特徴とするものであってもよい。
【発明の効果】
【００３４】
以上のように、本発明によれば、ＰＡＬ用クロマ復調回路の出力とＳＥＣＡＭ用クロマ復調回路の出力の何れかを選択する選択手段を備えることにより遅延手段を共用して使用でき、回路規模を少なくしてコストが削減できる。
【００３５】
また、ＳＥＣＡＭクロマ復調信号と相関信号とをそれぞれ間引いた後に多重化してクロマ相関多重信号を生成し、ＳＥＣＡＭ処理時に、クロマ相関多重信号をラインメモリで遅延させた遅延信号からＳＥＣＡＭクロマ復調信号と相関信号を抽出して、相関信号に基づいてＳＥＣＡＭ復調信号を適応処理することにより、ＳＥＣＡＭ処理時に高画質化を実現することができる。
【００３６】
また、ＳＥＣＡＭクロマ復調信号と輝度信号とをそれぞれ間引いた後に多重化してクロマ輝度多重信号を生成し、ＳＥＣＡＭ処理時に、クロマ輝度多重信号をラインメモリで遅延させた遅延信号からＳＥＣＡＭクロマ復調信号と輝度信号を抽出し、さらに輝度信号から相関信号を生成して、相関信号に基づいてＳＥＣＡＭクロマ復調信号を適応処理することにより、ＳＥＣＡＭ処理時に高画質化を実現することができる。
【発明を実施するための最良の形態】
【００３７】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３８】
＜実施形態１＞
図１は、本発明の実施形態１に係る色信号処理回路の構成を示すブロック図である。図１において、１０１は入力端子Ｓ１に入力される入力クロマ信号がＰＡＬ方式の場合にＲ−Ｙ信号とＢ−Ｙ信号に復調するＰＡＬ用クロマ復調回路、１０２は入力端子Ｓ２に入力される入力クロマ信号がＳＥＣＡＭ方式の場合にＲ−Ｙ信号とＢ−Ｙ信号に復調するＳＥＣＡＭ用クロマ復調回路、１０３，１０４は画素を間引いた後に多重する間引きＭＰＸ回路、１３０は復調信号を選択するセレクタ、１３１は入力信号を１ライン遅延させるラインメモリ、１０８は垂直方向に画素の平均値を算出する演算回路、１０９は線順次信号を同時化させるための同時化処理セレクタ、１０５はＰＡＬ方式の色差信号とＳＥＣＡＭ方式の色差信号を選択的に出力するセレクタである。
【００３９】
ここで、ＰＡＬ方式のクロマ信号が入力端子Ｓ１に入力された場合には、ＰＡＬ用クロマ復調回路１０１により色差信号（Ｒ−Ｙ信号とＢ−Ｙ信号）に復調される。
【００４０】
復調された色差信号は、間引きＭＰＸ回路１０３で色差信号の画素がそれぞれ半分に間引かれ、それらの信号が多重されてセレクタ１３０に出力される（図６参照）。
【００４１】
一方、ＳＥＣＡＭ方式のクロマ信号が入力端子Ｓ１に入力された場合には、ＳＥＣＡＭ用クロマ復調回路１０２により色差信号に復調される。ＳＥＣＡＭ方式ではＲ−Ｙ信号とＢ−Ｙ信号が線順次で伝送されてくるため、ＳＥＣＡＭ用クロマ復調回路１０２では復調すると同時にＲ−Ｙ信号又はＢ−Ｙ信号を認識するラインＩＤ信号Ｓ３を出力している。そして、ＳＥＣＡＭ用クロマ復調回路１０２で復調された色差信号がセレクタ１３０に出力され、ラインＩＤ信号Ｓ３が同時化処理セレクタ１０９に出力される。
【００４２】
また、ＰＡＬ方式の色差信号又はＳＥＣＡＭ方式の色差信号を選択するためのＰＡＬ／ＳＥＣＡＭセレクタ信号が入力端子Ｓ２に入力され、セレクタ１０５，１３０にそれぞれ出力される。
【００４３】
前記セレクタ１３０では、前記ＰＡＬ／ＳＥＣＡＭセレクタ信号に基づいて、ＰＡＬ方式の色差信号又はＳＥＣＡＭ方式の色差信号の何れかが選択される。
【００４４】
具体的に、ＰＡＬ方式が選択された場合には、セレクタ１３０から間引きＭＰＸ回路１０３の出力信号が出力され、演算回路１０８において間引きＭＰＸ回路１０３の出力信号とラインメモリ１３１から出力される１ライン遅延信号とを用いて垂直方向の平均処理が行われ、平均処理された色差信号がセレクタ１０５に出力される。
【００４５】
前記セレクタ１０５では、前記ＰＡＬ／ＳＥＣＡＭセレクタ信号に基づいて、演算回路１０８で処理されたＲ−Ｙ／Ｂ−Ｙ多重信号が出力端子Ｓ４に出力される。
【００４６】
一方、ＳＥＣＡＭ方式が選択された場合には、セレクタ１３０からＳＥＣＡＭ用クロマ復調回路１０２の出力信号が出力され、同時化処理セレクタ１０９においてラインＩＤ信号Ｓ３を用いて、ＳＥＣＡＭ用クロマ復調回路１０２からの出力信号とラインメモリ１３１から出力される１ライン遅延信号とによりＲ−Ｙ信号とＢ−Ｙ信号の同時化が行われる。同時化されたＲ−Ｙ信号とＢ−Ｙ信号とは間引きＭＰＸ回路１０４に出力される。
【００４７】
前記間引きＭＰＸ回路１０４では、色差信号の画素がそれぞれ半分に間引かれ、それらの信号が多重されてセレクタ１０５に出力される。
【００４８】
前記セレクタ１０５では、前記ＰＡＬ／ＳＥＣＡＭセレクタ信号に基づいて、間引きＭＰＸ回路１０４で多重されたＲ−Ｙ／Ｂ−Ｙ多重信号が出力端子Ｓ４に出力される。
【００４９】
ここで、ＰＡＬ方式とＳＥＣＡＭ方式では、輝度信号は同じであって色信号の変調方式のみが異なる。そのため、ＰＡＬ信号処理時のクロックとＳＥＣＡＭ信号処理時のクロックが同じであれば１ラインの画素数が同じであり、ラインメモリ１３１のメモリ容量もＰＡＬ信号処理とＳＥＣＡＭ信号処理とで同じになることから、ラインメモリ１３１を共用しても無駄な容量は無い。
【００５０】
以上により、本発明の実施形態１に係る色信号処理回路によれば、ＰＡＬ信号処理時とＳＥＣＡＭ信号処理時にラインメモリ１３１を共用して使用することができ、回路規模を少なくしてコストを削減する上で有利となる。
【００５１】
＜実施形態２＞
図２は、本発明の実施形態２に係る色信号処理回路の構成を示すブロック図である。前記実施形態１との違いは、注目画素が垂直方向について上下どちらの相関が大きいかを表す相関信号に基づいて色信号の出力を選択するようにした点であるため、実施形態１と同じ部分については同じ符号を付し、相違点についてのみ説明する。
【００５２】
図２において、ＳＥＣＡＭ方式のクロマ信号が入力端子Ｓ１に入力された場合には、ＳＥＣＡＭ用クロマ復調回路１０２により色差信号に復調される。ＳＥＣＡＭ方式ではＲ−Ｙ信号とＢ−Ｙ信号が線順次で伝送されてくるため、ＳＥＣＡＭ用クロマ復調回路１０２では復調すると同時にＲ−Ｙ信号又はＢ−Ｙ信号を認識するラインＩＤ信号Ｓ３を出力している。そして、ＳＥＣＡＭ用クロマ復調回路１０２で復調された色差信号が間引きＭＰＸ回路１３２に出力され、ラインＩＤ信号Ｓ３が同時化処理セレクタ１０９に出力される。
【００５３】
また、ＰＡＬ方式又はＳＥＣＡＭ方式の色差信号を選択するためのＰＡＬ／ＳＥＣＡＭセレクタ信号が入力端子Ｓ２に入力され、セレクタ１０５，１３０にそれぞれ出力される。さらに、注目画素が垂直方向について上下どちらの相関が大きいかを示す相関信号が入力端子Ｓ１０に入力され、間引きＭＰＸ回路１３２に出力される。
【００５４】
なお、相関信号は、例えば図示しない輝度信号処理回路等でラインメモリを利用することにより生成することができる。
【００５５】
前記間引きＭＰＸ回路１３２は、色差信号の画素を間引いた後に相関信号を多重するものである。この間引きＭＰＸ回路１３２における信号の入出力について、図７を用いて説明する。
【００５６】
図７に示すように、相関信号は、注目画素がＨｉｇｈ（１）のときに上位ラインの画素と相関が大きく、Ｌｏｗ（０）のときに下位ラインの画素と相関が大きいとすると、間引き回路１３２においてＲ−Ｙ信号と相関信号とが同じ画素位置で間引かれた後に多重されてセレクタ１３０に出力される。
【００５７】
前記セレクタ１３０では、前記ＰＡＬ／ＳＥＣＡＭセレクタ信号に基づいて、間引きＭＰＸ回路１３２の出力信号が選択的に出力され、間引きＭＰＸ回路１３２の出力信号と、入力信号を１ライン遅延させるラインメモリ１３３，１３４から出力される１ライン遅延信号とを用いて、３ライン分の映像信号が生成される。生成された３ライン分の映像信号Ｓ１００，Ｓ１０１，Ｓ１０２は、色信号抽出回路１３５に出力される。
【００５８】
一方、ラインメモリ１３３の出力信号が相関信号抽出回路１３６に出力される。相関信号抽出回路１３６は重畳された相関信号を抜き出すものであり、抽出された相関信号は、セレクタ１３７に出力される。
【００５９】
前記色信号抽出回路１３５は、重畳された色信号を抜き出すものであり、抽出された色信号のうち、映像信号Ｓ１０１の色信号が同時化処理セレクタ１０９に出力され、映像信号Ｓ１００，１０２の色信号がそれぞれセレクタ１３７に出力される。
【００６０】
前記セレクタ１３７は、相関信号抽出回路１３６で抽出した相関信号に基づいて、相関関係の大きい色信号を選択的に出力するものである。以下、セレクタ１３７の選択動作について図８に示す具体例を用いて説明する。
【００６１】
図８に示すように、映像信号Ｓ１０１の相関信号であるＦｌｇ１がＨｉｇｈ（１）であるので、セレクタ１３７において映像信号Ｓ１００側のＲ−Ｙ１１信号が選択的に出力される。続いて、Ｆｌｇ２がＬｏｗ（０）であるので、映像信号Ｓ１０２側のＲ−Ｙ３３信号が選択的に出力される。以下、同様の選択処理を繰り返す。
【００６２】
前記色信号抽出回路１３５から出力された映像信号Ｓ１０１と、セレクタ１３７で選択的に出力された映像信号とが、線順次信号を同時化させるための同時化処理セレクタ１０９に入力される。
【００６３】
前記同時化処理セレクタ１０９では、ラインＩＤ信号Ｓ３を用いて、Ｒ−Ｙ信号とＢ−Ｙ信号の同時化が行われる。同時化されたＲ−Ｙ信号とＢ−Ｙ信号とはＭＰＸ回路１３８に出力される。前記ＭＰＸ回路１３８では、Ｒ−Ｙ信号とＢ−Ｙ信号とが多重化され、Ｒ−Ｙ／Ｂ−Ｙ多重信号がセレクタ１０５に出力される。
【００６４】
前記セレクタ１０５では、前記ＰＡＬ／ＳＥＣＡＭセレクタ信号に基づいて、ＭＰＸ回路１３８で多重されたＲ−Ｙ／Ｂ−Ｙ多重信号が出力端子Ｓ４に出力される。
【００６５】
次に、ＰＡＬ方式のクロマ信号が入力端子Ｓ１に入力された場合について説明する。ＰＡＬ方式のクロマ信号は、ＰＡＬ用クロマ復調回路１０１により色差信号（Ｒ−Ｙ信号とＢ−Ｙ信号）に復調される。
【００６６】
復調された色差信号は、間引きＭＰＸ回路１０３で色差信号の画素がそれぞれ半分に間引かれ、それらの信号が多重されてセレクタ１３０に出力される。
【００６７】
前記セレクタ１３０では、前記ＰＡＬ／ＳＥＣＡＭセレクタ信号に基づいて、間引きＭＰＸ回路１０３の出力信号が出力され、演算回路１０８において間引きＭＰＸ回路１０３の出力信号とラインメモリ１３３，１３４から出力される１ライン遅延信号とを用いて垂直方向の平均処理が行われ、平均処理された色差信号がセレクタ１０５に出力される。
【００６８】
前記セレクタ１０５では、前記ＰＡＬ／ＳＥＣＡＭセレクタ信号に基づいて、演算回路１０８で処理されたＲ−Ｙ／Ｂ−Ｙ多重信号が出力端子Ｓ４に出力される。
【００６９】
以上により、本実施形態２に係る色信号処理回路によれば、入力される相関信号とＳＥＣＡＭ復調信号とを間引いて多重する間引きＭＰＸ回路１３２を用いることにより、ＳＥＣＡＭ復調信号の同時化処理を相関関係を用いて適応処理することができ、高画質化が可能となる。
【００７０】
なお、本実施形態２では、相関信号によって色信号抽出信号をセレクタ１３７で選択しているが、この形態に限定するものではなく、相関信号によって色信号抽出信号を重み付け演算するようにしても構わない。
【００７１】
＜実施形態３＞
図３は、本発明の実施形態３に係る色信号処理回路の構成を示すブロック図である。前記実施形態２との違いは、輝度信号（Ｙ信号）を抜き出すＹ信号抽出回路を設けた点であるため、以下、実施形態２と同じ部分については同じ符号を付し、相違点についてのみ説明する。
【００７２】
図３において、ＳＥＣＡＭ方式のクロマ信号が入力端子Ｓ１に入力された場合には、ＳＥＣＡＭ用クロマ復調回路１０２により色差信号に復調される。ＳＥＣＡＭ方式ではＲ−Ｙ信号とＢ−Ｙ信号が線順次で伝送されてくるため、ＳＥＣＡＭ用クロマ復調回路１０２では復調すると同時にＲ−Ｙ信号又はＢ−Ｙ信号を認識するラインＩＤ信号Ｓ３を出力している。そして、ＳＥＣＡＭ用クロマ復調回路１０２で復調された色差信号が間引きＭＰＸ回路１４２に出力され、ラインＩＤ信号Ｓ３が同時化処理セレクタ１０９に出力される。
【００７３】
また、ＰＡＬ方式又はＳＥＣＡＭ方式の色差信号を選択するためのＰＡＬ／ＳＥＣＡＭセレクタ信号が入力端子Ｓ２に入力され、セレクタ１０５，１３０にそれぞれ出力される。さらに、輝度信号（Ｙ信号）が入力端子Ｓ２０に入力され、間引きＭＰＸ回路１４２に出力される。
【００７４】
前記間引きＭＰＸ回路１４２は、色差信号の画素を間引いた後に多重するものである。この間引きＭＰＸ回路１４２における信号の入出力について、図９を用いて説明する。
【００７５】
図９に示すように、間引きＭＰＸ回路１４２では、ＳＥＣＡＭ用クロマ復調回路１０２の出力信号と入力端子Ｓ２０から出力される輝度信号とがそれぞれ半分に間引かれる。具体的に、図９では、Ｒ−Ｙ２信号やＹ２信号が間引かれ、間引き後に多重化された出力信号がセレクタ１３０に出力される。
【００７６】
前記セレクタ１３０では、前記ＰＡＬ／ＳＥＣＡＭセレクタ信号に基づいて、間引きＭＰＸ回路１４２の出力信号が選択的に出力され、間引きＭＰＸ回路１４２の出力信号と、入力信号を１ライン遅延させるラインメモリ１３３，１３４から出力される１ライン遅延信号とを用いて、３ライン分の映像信号が生成される。生成された３ライン分の映像信号Ｓ１１０，Ｓ１１１，Ｓ１１２は、色信号抽出回路１３５に出力される一方、Ｙ信号抽出回路１４０にも出力される。
【００７７】
前記Ｙ信号抽出回路１４０は、重畳された輝度信号（Ｙ信号）を抜き出すものであり、抽出された輝度信号は相関検出回路１４１に出力される。
【００７８】
前記相関検出回路１４１は、輝度信号から相関関係を判別するものであり、判別結果に基づく相関信号がセレクタ１３７に出力される。
【００７９】
前記色信号抽出回路１３５は、重畳された色信号を抜き出すものであり、抽出された色信号のうち、映像信号Ｓ１１１の色信号が同時化処理セレクタ１０９に出力され、映像信号Ｓ１１０，１１２の色信号がそれぞれセレクタ１３７に出力される。
【００８０】
前記セレクタ１３７は、相関検出回路１４１で検出した相関信号に基づいて、相関関係が大きい色信号を選択的に出力するものである。以下、セレクタ１３７の選択動作について図１０に示す具体例を用いて説明する。
【００８１】
図１０は、Ｙ信号抽出回路１４０において輝度信号Ｙ１１，Ｙ１２，Ｙ１３が抽出され、相関検出回路１４１において、例えばＹ１２−Ｙ１１の絶対値とＹ１２−Ｙ１３の絶対値との演算結果が、
｜Ｙ１２−Ｙ１１｜＜｜Ｙ１２−Ｙ１３｜
となった場合を示している。
【００８２】
この場合には、輝度信号Ｙ１２は輝度信号Ｙ１１との相関が大きいと判断され、相関検出回路１４１の出力信号としてＨｉｇｈ（１）が出力される。その結果、セレクタ１３７において映像信号Ｓ１１０側のＲ−Ｙ１１信号が選択的に出力される。
【００８３】
前記色信号抽出回路１３５から出力された映像信号Ｓ１１１と、セレクタ１３７で選択的に出力された映像信号とが、線順次信号を同時化させるための同時化処理セレクタ１０９に入力される。
【００８４】
前記同時化処理セレクタ１０９では、ラインＩＤ信号Ｓ３を用いて、Ｒ−Ｙ信号とＢ−Ｙ信号の同時化が行われる。同時化されたＲ−Ｙ信号とＢ−Ｙ信号とはＭＰＸ回路１３８に出力される。前記ＭＰＸ回路１３８では、Ｒ−Ｙ信号とＢ−Ｙ信号とが多重化され、Ｒ−Ｙ／Ｂ−Ｙ多重信号がセレクタ１０５に出力される。
【００８５】
前記セレクタ１０５では、前記ＰＡＬ／ＳＥＣＡＭセレクタ信号に基づいて、ＭＰＸ回路１３８で多重されたＲ−Ｙ／Ｂ−Ｙ多重信号が出力端子Ｓ４に出力される。
【００８６】
なお、ＰＡＬ方式のクロマ信号が入力端子Ｓ１に入力された場合については、前記実施形態２と同様であるため、その説明を省略する。
【００８７】
以上により、本発明の実施形態３に係る色信号処理回路によれば、入力される輝度信号とＳＥＣＡＭ復調信号とを間引いて多重する間引きＭＰＸ回路１４２を用いることにより、輝度信号処理回路（図示せず）等でラインメモリを利用して相関信号を生成する必要がなくＳＥＣＡＭ復調信号の同時化処理を相関関係を用いて適応処理することができ、高画質化が可能となる。
【産業上の利用可能性】
【００８８】
以上説明したように、本発明は、回路規模を少なくしてコスト削減を図るとともに高画質化を実現することができるという実用性の高い効果が得られることから、きわめて有用で産業上の利用可能性は高い。
【図面の簡単な説明】
【００８９】
【図１】本発明の実施形態１に係る色信号処理回路の構成を示すブロック図である。
【図２】本実施形態２に係る色信号処理回路の構成を示すブロック図である。
【図３】本実施形態３に係る色信号処理回路の構成を示すブロック図である。
【図４】従来の色信号処理回路においてラインメモリを１つ使用した場合の構成を示すブロック図である。
【図５】従来の色信号処理回路においてラインメモリを２つ使用した場合の構成を示すブロック図である。
【図６】本実施形態１における間引きＭＰＸ回路の動作を示す図である。
【図７】本実施形態２における間引きＭＰＸ回路の動作を示す図である。
【図８】本実施形態２における相関信号検出の動作を示す図である。
【図９】本実施形態３における間引きＭＰＸ回路の動作を示す図である。
【図１０】本実施形態３における相関信号検出の動作を示す図である。
【符号の説明】
【００９０】
１０１  ＰＡＬ用クロマ復調回路
１０２  ＳＥＣＡＭ用クロマ復調回路
１０３  間引きＭＰＸ回路
１０４  間引きＭＰＸ回路
１０５  セレクタ
１０８  演算回路
１０９  同時化処理セレクタ
１３０  セレクタ
１３１  ラインメモリ
１３２  間引きＭＰＸ回路
１３３  ラインメモリ
１３４  ラインメモリ
１３５  色信号抽出回路
１３６  相関信号抽出回路
１４０  Ｙ信号抽出回路
１４１  相関検出回路
１４２  間引きＭＰＸ回路
２００  色平均処理部
２０１  ３入力色平均処理部
３００  同時化処理部
３０１  ３入力同時化処理部
【図１】
2007181054.tif 000003
【図２】
2007181054.tif 000004
【図３】
2007181054.tif 000005
【図４】
2007181054.tif 000006
【図５】
2007181054.tif 000007
【図６】
2007181054.tif 000008
【図７】
2007181054.tif 000009
【図８】
2007181054.tif 000010
【図９】
2007181054.tif 000011
【図１０】
2007181054.tif 000012